【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
１つまたは複数のネットワークエンティティに関連するアグレッサ発展型ノードＢ（ｅＮＢ）が状態品質測定値を取得することと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することと、
前記１つまたは複数のネットワークエンティティに制御信号を送信することと、ここにおいて、前記制御信号が前記干渉の緩和に関係する、
を備える、ワイヤレス通信の方法。
【請求項２】
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、請求項１に記載の方法。
【請求項３】
前記状態品質測定値を比較すること、ここにおいて、前記状態品質測定値が、前記アグレッサＵＥと、前記１つまたは複数のビクティムネットワークエンティティのうちの残りのビクティムネットワークエンティティとに関連する、
をさらに備え、
ここにおいて、前記識別することが、少なくとも部分的に、前記比較することに基づく、
請求項２に記載の方法。
【請求項４】
高干渉を受ける１つまたは複数の受信リソースブロック（ＲＢ）を識別する前記１つまたは複数のビクティムネットワークエンティティから第２の制御信号を受信することと、
前記アグレッサｅＮＢが、前記第２の制御信号に応答して初期送信電力を調整することと
をさらに備える、または、
請求項１に記載の方法は、前記取得することが、前記１つまたは複数のネットワークエンティティから前記状態品質測定値を受信することを備え、ここにおいて、前記識別することが、前記１つまたは複数のビクティムネットワークエンティティを判断するために前記状態品質測定値を分析することを備える、または、
前記取得することが、前記１つまたは複数のネットワークエンティティに関連する前記状態品質測定値を測定することを備え、ここにおいて、前記識別することが、前記１つまたは複数のビクティムネットワークエンティティを判断するために前記状態品質測定値を分析することを備える、請求項１に記載の方法。
【請求項５】
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を備える、ワイヤレス通信の方法。
【請求項６】
前記ビクティムｅＮＢが、１つまたは複数のビクティムＵＥを含む複数のユーザ機器（ＵＥ）をサービスするｅＮＢを備える、請求項５に記載の方法。
【請求項７】
前記スケジュールすることは、
前記ビクティムｅＮＢが、周波数に従って前記ビクティムｅＮＢに関連する送信スロットを区分することと、
前記送信スロット中のダウンリンクデータのための第１の周波数を割り当てることと、ここにおいて、前記第１の周波数が、前記アグレッサｅＮＢに関連する対応する逆方向送信スロット中のオールモストブランクリソースに対応する、
を備える、または、
前記スケジュールすることが、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更すること
を備える、または、
前記スケジュールすることが、
前記アグレッサｅＮＢ中のダウンリンクサブフレームに対応する前記ビクティムｅＮＢのアップリンクサブフレーム中でブランクスロットをスケジュールすること
を備える、請求項５に記載の方法。
【請求項８】
１つまたは複数のネットワークエンティティに関連するアグレッサ発展型ノードＢ（ｅＮＢ）が状態品質測定値を取得するための手段と、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別するための手段と、
前記１つまたは複数のネットワークエンティティに制御信号を送信するための手段と、ここにおいて、前記制御信号が前記干渉の緩和に関係する、
を備える、ワイヤレス通信のために構成された装置。
【請求項９】
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、請求項８に記載の装置。
【請求項１０】
前記状態品質測定値を比較するための手段、ここにおいて、前記状態品質測定値が、前記アグレッサＵＥと、前記１つまたは複数のビクティムネットワークエンティティのうちの残りのビクティムネットワークエンティティとに関連する、をさらに備え、
ここにおいて、識別するための前記手段が、少なくとも部分的に比較するための前記手段に基づく、
請求項２１に記載の装置。
【請求項１１】
高干渉を受ける１つまたは複数の受信リソースブロック（ＲＢ）を識別する前記１つまたは複数のビクティムネットワークエンティティから第２の制御信号を受信するための手段と、
前記アグレッサｅＮＢが、前記第２の制御信号に応答して初期送信電力を調整するための手段と
をさらに備える、または、
請求項８に記載の装置は、取得するための前記手段が、前記１つまたは複数のネットワークエンティティから前記状態品質測定値を受信するための手段を備え、ここにおいて、識別するための前記手段が、前記１つまたは複数のビクティムネットワークエンティティを判断するために前記状態品質測定値を分析するための手段を備える、または、
取得するための前記手段が、前記１つまたは複数のネットワークエンティティに関連する前記状態品質測定値を測定するための手段を備え、ここにおいて、識別するための前記手段が、前記１つまたは複数のビクティムネットワークエンティティを判断するために前記状態品質測定値を分析するための手段を備える、請求項８に記載の装置。
【請求項１２】
ビクティム発展型ノードＢ（ｅＮＢ）においてアグレッサｅＮＢから制御信号を受信するための手段と、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールするための手段と
を備える、ワイヤレス通信のために構成された装置。
【請求項１３】
前記ビクティムｅＮＢが、１つまたは複数のビクティムＵＥを含む複数のユーザ機器（ＵＥ）をサービスするｅＮＢを備える、請求項１２に記載の装置。
【請求項１４】
スケジュールするための前記手段は、
前記ビクティムｅＮＢが、周波数に従って前記ビクティムｅＮＢに関連する送信スロットを区分するための手段と、
前記送信スロット中のダウンリンクデータのための第１の周波数を割り当てるための手段と、ここにおいて、前記第１の周波数が、前記アグレッサｅＮＢに関連する対応する逆方向送信スロット中のオールモストブランクリソースに対応する、
を備える、請求項１２に記載の装置。
【請求項１５】
請求項１乃至７のいずれかに記載の方法を実行するための命令を備える、コンピュータプログラム。
【手続補正２】
【補正対象書類名】明細書
【補正対象項目名】００９３
【補正方法】変更
【補正の内容】
【００９３】
[0105]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
１つまたは複数のネットワークエンティティに関連するアグレッサ発展型ノードＢ（ｅＮＢ）が状態品質測定値を取得することと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することと、
前記１つまたは複数のネットワークエンティティに制御信号を送信することと、ここにおいて、前記制御信号が前記干渉の緩和に関係する、
を備える、ワイヤレス通信の方法。
［Ｃ２］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ１に記載の方法。
［Ｃ３］
前記状態品質測定値を比較すること、ここにおいて、前記状態品質測定値が、前記アグレッサＵＥと、前記１つまたは複数のビクティムネットワークエンティティのうちの残りのビクティムネットワークエンティティとに関連する、
をさらに備え、
ここにおいて、前記識別することが、少なくとも部分的に、前記比較することに基づく、
Ｃ２に記載の方法。
［Ｃ４］
前記状態品質測定値が、
基準信号受信電力（ＲＳＲＰ）、
基準信号受信品質（ＲＳＲＱ）、
前記サービスするｅＮＢと前記１つまたは複数の近隣ｅＮＢとに対する経路損失測定値、
チャネル品質インジケータ（ＣＱＩ）、または
それらの組合せ
のうちの１つまたは複数を備える、Ｃ３に記載の方法。
［Ｃ５］
高干渉を受ける１つまたは複数の受信リソースブロック（ＲＢ）を識別する前記１つまたは複数のビクティムネットワークエンティティから第２の制御信号を受信することと、
前記アグレッサｅＮＢが、前記第２の制御信号に応答して初期送信電力を調整することと
をさらに備える、Ｃ１に記載の方法。
［Ｃ６］
前記取得することが、前記１つまたは複数のネットワークエンティティから前記状態品質測定値を受信することを備え、ここにおいて、前記識別することが、前記１つまたは複数のビクティムネットワークエンティティを判断するために前記状態品質測定値を分析することを備える、Ｃ１に記載の方法。
［Ｃ７］
前記取得することが、前記１つまたは複数のネットワークエンティティに関連する前記状態品質測定値を測定することを備え、ここにおいて、前記識別することが、前記１つまたは複数のビクティムネットワークエンティティを判断するために前記状態品質測定値を分析することを備える、Ｃ１に記載の方法。
［Ｃ８］
周波数に従って前記アグレッサｅＮＢにおいてダウンリンクスロットを区分することと、
前記ダウンリンクスロット中のダウンリンクデータのための第１の周波数を割り当てることと、ここにおいて、前記第１の周波数が、前記１つまたは複数のビクティムネットワークエンティティの対応するアップリンクスロット中のオールモストブランクリソースに対応する、
をさらに備える、Ｃ１に記載の方法。
［Ｃ９］
前記アグレッサｅＮＢにおいて、前記１つまたは複数のビクティムネットワークエンティティのアップリンク許可情報を復号することと、
前記復号されたアップリンク許可情報中に示されるアップリンク送信との衝突を回避するために、前記アグレッサｅＮＢにおいてダウンリンク送信をスケジュールすることと、
をさらに備える、Ｃ１に記載の方法。
［Ｃ１０］
前記アグレッサｅＮＢにおいて、バックホールインターフェースを介して前記１つまたは複数のビクティムネットワークエンティティからアップリンク送信情報を受信することと、
前記アップリンク送信情報中に示されるアップリンク送信との衝突を回避するために、前記アグレッサｅＮＢにおいてダウンリンク送信をスケジュールすることと、
をさらに備える、Ｃ１に記載の方法。
［Ｃ１１］
前記スケジュールすることが、
前記１つまたは複数のネットワークエンティティのアップリンクサブフレームと競合するダウンリンクサブフレームをオールモストブランクサブフレーム（ＡＢＳ）としてスケジュールすること
を備える、Ｃ１０に記載の方法。
［Ｃ１２］
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を備える、ワイヤレス通信の方法。
［Ｃ１３］
前記ビクティムｅＮＢが、１つまたは複数のビクティムＵＥを含む複数のユーザ機器（ＵＥ）をサービスするｅＮＢを備える、Ｃ１２に記載の方法。
［Ｃ１４］
前記制御信号が、前記１つまたは複数のビクティムＵＥに割り当てられた１つまたは複数のリソースブロック（ＲＢ）とともに前記アグレッサｅＮＢから予想される高干渉を示す、Ｃ１３に記載の方法。
［Ｃ１５］
前記スケジュールすることは、
前記ビクティムｅＮＢが、前記複数のＵＥのうちの非ビクティムＵＥがサブフレーム中の前記送信状態によって引き起こされる干渉を受けない、前記サブフレーム中の前記非ビクティムＵＥをスケジュールすること
を備える、Ｃ１４に記載の方法。
［Ｃ１６］
前記スケジュールすることは、
前記ビクティムｅＮＢが、周波数に従って前記ビクティムｅＮＢに関連する送信スロットを区分することと、
前記送信スロット中のダウンリンクデータのための第１の周波数を割り当てることと、ここにおいて、前記第１の周波数が、前記アグレッサｅＮＢに関連する対応する逆方向送信スロット中のオールモストブランクリソースに対応する、
を備える、Ｃ１２に記載の方法。
［Ｃ１７］
１つまたは複数のアップリンクＲＢ中で高干渉を検出することと、
前記検出することに応答して前記アグレッサｅＮＢに過負荷インジケータを送信することと
をさらに備える、Ｃ１２に記載の方法。
［Ｃ１８］
前記スケジュールすることが、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更すること
を備える、Ｃ１２に記載の方法。
［Ｃ１９］
前記スケジュールすることが、
前記アグレッサｅＮＢ中のダウンリンクサブフレームに対応する前記ビクティムｅＮＢのアップリンクサブフレーム中でブランクスロットをスケジュールすること
を備える、Ｃ１２に記載の方法。
［Ｃ２０］
１つまたは複数のネットワークエンティティに関連するアグレッサ発展型ノードＢ（ｅＮＢ）が状態品質測定値を取得するための手段と、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別するための手段と、
前記１つまたは複数のネットワークエンティティに制御信号を送信するための手段と、ここにおいて、前記制御信号が前記干渉の緩和に関係する、
を備える、ワイヤレス通信のために構成された装置。
［Ｃ２１］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ２０に記載の装置。
［Ｃ２２］
前記状態品質測定値を比較するための手段と、ここにおいて、前記状態品質測定値が、前記アグレッサＵＥと、前記１つまたは複数のビクティムネットワークエンティティのうちの残りのビクティムネットワークエンティティとに関連する、をさらに備え、
ここにおいて、識別するための前記手段が、少なくとも部分的に比較するための前記手段に基づく、
Ｃ２１に記載の装置。
［Ｃ２３］
前記状態品質測定値が、
基準信号受信電力（ＲＳＲＰ）、
基準信号受信品質（ＲＳＲＱ）、
前記サービスするｅＮＢと前記１つまたは複数の近隣ｅＮＢとに対する経路損失測定値、
チャネル品質インジケータ（ＣＱＩ）、または
それらの組合せ
のうちの１つまたは複数を備える、Ｃ２２に記載の装置。
［Ｃ２４］
高干渉を受ける１つまたは複数の受信リソースブロック（ＲＢ）を識別する前記１つまたは複数のビクティムネットワークエンティティから第２の制御信号を受信するための手段と、
前記アグレッサｅＮＢが、前記第２の制御信号に応答して初期送信電力を調整するための手段と
をさらに備える、Ｃ２０に記載の装置。
［Ｃ２５］
取得するための前記手段が、前記１つまたは複数のネットワークエンティティから前記状態品質測定値を受信するための手段を備え、ここにおいて、識別するための前記手段が、前記１つまたは複数のビクティムネットワークエンティティを判断するために前記状態品質測定値を分析するための手段を備える、Ｃ２０に記載の装置。
［Ｃ２６］
取得するための前記手段が、前記１つまたは複数のネットワークエンティティに関連する前記状態品質測定値を測定するための手段を備え、ここにおいて、識別するための前記手段が、前記１つまたは複数のビクティムネットワークエンティティを判断するために前記状態品質測定値を分析するための手段を備える、Ｃ２０に記載の装置。
［Ｃ２７］
周波数に従って前記アグレッサｅＮＢにおいてダウンリンクスロットを区分するための手段と、
前記ダウンリンクスロット中のダウンリンクデータのための第１の周波数を割り当てるための手段と、ここにおいて、前記第１の周波数が、前記１つまたは複数のビクティムネットワークエンティティの対応するアップリンクスロット中のオールモストブランクリソースに対応する、
をさらに備える、Ｃ２０に記載の装置。
［Ｃ２８］
前記アグレッサｅＮＢにおいて、前記１つまたは複数のビクティムネットワークエンティティのアップリンク許可情報を復号するための手段と、
前記復号されたアップリンク許可情報中に示されるアップリンク送信との衝突を回避するために、前記アグレッサｅＮＢにおいてダウンリンク送信をスケジュールするための手段と、
をさらに備える、Ｃ２０に記載の装置。
［Ｃ２９］
前記アグレッサｅＮＢにおいて、バックホールインターフェースを介して前記１つまたは複数のビクティムネットワークエンティティからアップリンク送信情報を受信するための手段と、
前記アップリンク送信情報中に示されるアップリンク送信との衝突を回避するために、前記アグレッサｅＮＢにおいてダウンリンク送信をスケジュールするための手段と、
をさらに備える、Ｃ２０に記載の装置。
［Ｃ３０］
スケジュールするための前記手段が、
前記１つまたは複数のネットワークエンティティのアップリンクサブフレームと競合するダウンリンクサブフレームをオールモストブランクサブフレーム（ＡＢＳ）としてスケジュールするための手段
を備える、Ｃ２９に記載の装置。
［Ｃ３１］
ビクティム発展型ノードＢ（ｅＮＢ）においてアグレッサｅＮＢから制御信号を受信するための手段と、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールするための手段と
を備える、ワイヤレス通信のために構成された装置。
［Ｃ３２］
前記ビクティムｅＮＢが、１つまたは複数のビクティムＵＥを含む複数のユーザ機器（ＵＥ）をサービスするｅＮＢを備える、Ｃ３１に記載の装置。
［Ｃ３３］
前記制御信号が、前記１つまたは複数のビクティムＵＥに割り当てられた１つまたは複数のリソースブロック（ＲＢ）とともに前記アグレッサｅＮＢから予想される高干渉を示す、Ｃ３２に記載の装置。
［Ｃ３４］
スケジュールするための前記手段は、
前記ビクティムｅＮＢが、前記複数のＵＥのうちの非ビクティムＵＥがサブフレーム中の前記送信状態によって引き起こされる干渉を受けない、前記サブフレーム中の前記非ビクティムＵＥをスケジュールするための手段
を備える、Ｃ３３に記載の装置。
［Ｃ３５］
スケジュールするための前記手段は、
前記ビクティムｅＮＢが、周波数に従って前記ビクティムｅＮＢに関連する送信スロットを区分するための手段と、
前記送信スロット中のダウンリンクデータのための第１の周波数を割り当てるための手段と、ここにおいて、前記第１の周波数が、前記アグレッサｅＮＢに関連する対応する逆方向送信スロット中のオールモストブランクリソースに対応する、
を備える、Ｃ３１に記載の装置。
［Ｃ３６］
１つまたは複数のアップリンクＲＢ中で高干渉を検出するための手段と、
検出するための前記手段に応答して前記アグレッサｅＮＢに過負荷インジケータを送信するための手段と
をさらに備える、Ｃ３１に記載の装置。
［Ｃ３７］
スケジュールするための前記手段が、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更するための手段
を備える、Ｃ３１に記載の装置。
［Ｃ３８］
スケジュールするための前記手段が、
前記アグレッサｅＮＢ中のダウンリンクサブフレームに対応する前記ビクティムｅＮＢのアップリンクサブフレーム中でブランクスロットをスケジュールするための手段
を備える、Ｃ３１に記載の装置。
［Ｃ３９］
プログラムコードを記録した非一時的コンピュータ可読媒体を備える、ワイヤレスネットワークにおけるワイヤレス通信のためのコンピュータプログラム製品であって、前記プログラムコードは、
１つまたは複数のネットワークエンティティに関連するアグレッサ発展型ノードＢ（ｅＮＢ）が状態品質測定値を取得することをコンピュータに行わせるためのプログラムコードと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することを前記コンピュータに行わせるためのプログラムコードと、
前記１つまたは複数のネットワークエンティティに制御信号を送信することを前記コンピュータに行わせるためのプログラムコードと、ここにおいて、前記制御信号が前記干渉の緩和に関係する、
を含む、コンピュータプログラム製品。
［Ｃ４０］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ３９に記載のコンピュータプログラム製品。
［Ｃ４１］
周波数に従って前記アグレッサｅＮＢにおいてダウンリンクスロットを区分することを前記コンピュータに行わせるためのプログラムコードと、
前記ダウンリンクスロット中のダウンリンクデータのための第１の周波数を割り当てることを前記コンピュータに行わせるためのプログラムコードと、ここにおいて、前記第１の周波数が、前記１つまたは複数のビクティムネットワークエンティティの対応するアップリンクスロット中のオールモストブランクリソースに対応する、
をさらに備える、Ｃ３９に記載のコンピュータプログラム製品。
［Ｃ４２］
前記アグレッサｅＮＢにおいて、前記１つまたは複数のビクティムネットワークエンティティのアップリンク許可情報を復号することを前記コンピュータに行わせるためのプログラムコードと、
前記復号されたアップリンク許可情報中に示されるアップリンク送信との衝突を回避するために、前記アグレッサｅＮＢにおいてダウンリンク送信をスケジュールすることを前記コンピュータに行わせるためのプログラムコードと、
をさらに備える、Ｃ３９に記載のコンピュータプログラム製品。
［Ｃ４３］
プログラムコードを記録した非一時的コンピュータ可読媒体を備える、ワイヤレスネットワークにおけるワイヤレス通信のためのコンピュータプログラム製品であって、前記プログラムコードは、
ビクティム発展型ノードＢ（ｅＮＢ）においてアグレッサｅＮＢから制御信号を受信することをコンピュータに行わせるためのプログラムコードと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることを前記コンピュータに行わせるためのプログラムコードと、
を含む、コンピュータプログラム製品。
［Ｃ４４］
前記ビクティムｅＮＢが、１つまたは複数のビクティムＵＥを含む複数のユーザ機器（ＵＥ）をサービスするｅＮＢを備える、Ｃ４３に記載のコンピュータプログラム製品。
［Ｃ４５］
スケジュールすることを前記コンピュータに行わせるための前記プログラムコードは、
前記ビクティムｅＮＢが、周波数に従って前記ビクティムｅＮＢに関連する送信スロットを区分することを前記コンピュータに行わせるためのプログラムコードと、
前記送信スロット中のダウンリンクデータのための第１の周波数を割り当てることを前記コンピュータに行わせるためのプログラムコードと、ここにおいて、前記第１の周波数が、前記アグレッサｅＮＢに関連する対応する逆方向送信スロット中のオールモストブランクリソースに対応する、
を備える、Ｃ４３に記載のコンピュータプログラム製品。
［Ｃ４６］
１つまたは複数のアップリンクＲＢ中で高干渉を検出することを前記コンピュータに行わせるためのプログラムコードと、
検出することを前記コンピュータに行わせるための前記プログラムコードに応答して、前記アグレッサｅＮＢに過負荷インジケータを送信することを前記コンピュータに行わせるためのプログラムコードと
をさらに備える、Ｃ４３に記載のコンピュータプログラム製品。
［Ｃ４７］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
１つまたは複数のネットワークエンティティに関連するアグレッサ発展型ノードＢ（ｅＮＢ）が状態品質測定値を取得することと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することと、
前記１つまたは複数のネットワークエンティティに制御信号を送信することと、ここにおいて、前記制御信号が前記干渉の緩和に関係する、
を行うように構成された、装置。
［Ｃ４８］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ４７に記載の装置。
［Ｃ４９］
周波数に従って前記アグレッサｅＮＢにおいてダウンリンクスロットを区分することと、
前記ダウンリンクスロット中のダウンリンクデータのための第１の周波数を割り当てることと、ここにおいて、前記第１の周波数が、前記１つまたは複数のビクティムネットワークエンティティの対応するアップリンクスロット中のオールモストブランクリソースに対応する
を行うための前記少なくとも１つのプロセッサの構成をさらに備える、Ｃ４７に記載の装置。
［Ｃ５０］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を行うように構成された、装置。
［Ｃ５１］
前記ビクティムｅＮＢが、１つまたは複数のビクティムＵＥを含む複数のユーザ機器（ＵＥ）をサービスするｅＮＢを備える、Ｃ５０に記載の装置。
［Ｃ５２］
スケジュールするための前記少なくとも１つのプロセッサの前記構成は、
前記ビクティムｅＮＢが、周波数に従って前記ビクティムｅＮＢに関連する送信スロットを区分することと、
前記送信スロット中のダウンリンクデータのための第１の周波数を割り当てることと、ここにおいて、前記第１の周波数が、前記アグレッサｅＮＢに関連する対応する逆方向送信スロット中のオールモストブランクリソースに対応する、
を行うための前記少なくとも１つのプロセッサの構成を備える、Ｃ５０に記載の装置。